(57)【要約】【課題】ユーザが自己の健康に関するデータを登録し忘れるという不都合を回避可能な技術を提供する。【解決手段】各ユーザの健康に関するデータを管理するデータ管理システム１であって、各ユーザからデータ登録をデータ種ごとに受付ける登録受付部１０と、第１のデータ種のデータ登録があった場合、その後、新たなデータが登録されると予測されるデータ種である随伴データ種を、第１のデータ種に対応付けて登録した対応データを保持する対応データ保持部２０と、登録受付部１０が第１のデータ種のデータ登録を受付けると、対応データを参照して、第１のデータ種に対応付けられている随伴データ種を特定し、特定した随伴データ種のデータ登録を促す通知情報を出力する情報出力部３０とを有するデータ管理システム１。【選択図】図１
2013016033.tif 000002
【特許請求の範囲】
【請求項１】
各ユーザの健康に関するデータを管理するデータ管理システムであって、
各ユーザからデータ登録をデータ種ごとに受付ける登録受付手段と、
第１の前記データ種のデータ登録があった場合、その後、新たなデータが登録されると予測される前記データ種である随伴データ種を、前記第１のデータ種に対応付けて登録した対応データを保持する対応データ保持手段と、
前記登録受付手段が前記第１のデータ種のデータ登録を受付けると、前記対応データを参照して、前記第１のデータ種に対応付けられている前記随伴データ種を特定し、特定した前記随伴データ種のデータ登録を促す通知情報を出力する情報出力手段と、
を有するデータ管理システム。
【請求項２】
請求項１に記載のデータ管理システムにおいて、
前記対応データには、前記随伴データ種各々に対応付けて、新たなデータ登録をすべき期日を特定するための期日情報が登録されており、
前記情報出力手段は、
前記登録受付手段が前記第１のデータ種のデータ登録を受付けると、特定した前記随伴データ種に対応付けられている前記期日情報を利用して、当該随伴データ種の新たなデータ登録の期日を特定し、当該期日を経過した場合、又は、当該期日から算出された所定のタイミングを経過した場合に、前記通知情報を出力するデータ管理システム。
【請求項３】
請求項２に記載のデータ管理システムにおいて、
前記データ種には、診察予定日、及び、診察内容が含まれ、
前記対応データには、前記診察予定日に対応した前記随伴データ種として、前記診察内容が登録され、当該診察内容には、診察予定の日に基づいて新たなデータ登録の期日を特定するための前記期日情報が対応付けて登録されているデータ管理システム。
【請求項４】
請求項２に記載のデータ管理システムにおいて、
前記データ種には、診察予定日、及び、診察内容が含まれ、
前記対応データには、前記診察内容に対応した前記随伴データ種として、前記診察予定日が登録され、当該診察予定日には、前記診察内容のデータ登録の日時に基づいて新たなデータ登録の期日を特定するための前記期日情報が対応付けて登録されているデータ管理システム。
【請求項５】
請求項１または２に記載のデータ管理システムにおいて、
前記データ種には、診察予定日、及び、診察内容が含まれ、
前記対応データには、前記診察予定日に対応した前記随伴データ種として、前記診察内容が登録されているデータ管理システム。
【請求項６】
請求項１または２に記載のデータ管理システムにおいて、
前記データ種には、診察予定日、及び、診察内容が含まれ、
前記対応データには、前記診察内容に対応した前記随伴データ種として、前記診察予定日が登録されているデータ管理システム。
【請求項７】
請求項１から６のいずれか１項に記載のデータ管理システムにおいて、
前記登録受付手段が受付けた前記データ登録の前記データ種及び登録日時を対応付けて記録したログ情報を保持するログ情報保持手段と、
前記ログ情報を利用して、第２の前記データ種のデータ登録後、所定の時間内に、所定の確率で新たなデータが登録されている前記データ種を特定し、特定したデータ種を、前記第２のデータ種の前記随伴データ種として前記対応データに登録する対応学習手段と、
を有するデータ管理システム。
【請求項８】
各ユーザの健康に関するデータを管理するデータ管理方法であって、
各ユーザからデータ登録をデータ種ごとに受付ける登録受付ステップと、
前記登録ステップで第１の前記データ種のデータ登録を受付けると、前記第１のデータ種のデータ登録があった場合、その後、新たなデータが登録されると予測される前記データ種である随伴データ種を、前記第１のデータ種に対応付けて登録した対応データを参照して、前記第１のデータ種に対応付けられている前記随伴データ種を特定する随伴データ特定ステップと、
特定した前記随伴データ種のデータ登録を促す通知情報を出力する情報出力ステップと、
をコンピュータが実行するデータ管理方法。
【請求項９】
各ユーザの健康に関するデータを管理するためのプログラムであって、
各ユーザからデータ登録をデータ種ごとに受付ける登録受付手段、
第１の前記データ種のデータ登録があった場合、その後、新たなデータが登録されると予測される前記データ種である随伴データ種を、前記第１のデータ種に対応付けて登録した対応データを保持する対応データ保持手段、
前記登録受付が前記第１のデータ種のデータ登録を受付けると、前記対応データを参照して、前記第１のデータ種に対応付けられている前記随伴データ種を特定し、特定した前記随伴データ種のデータ登録を促す通知情報を出力する情報出力手段、
としてコンピュータを機能させるためのプログラム。
【発明の詳細な説明】
【技術分野】
【０００１】
本発明は、データ管理システム、データ管理方法およびプログラムに関する。
【背景技術】
【０００２】
近年、各ユーザが自己の健康に関するデータを自身で管理するためのサービスが開発されている。健康に関するデータとしては、例えば、身長、体重、診察履歴、診察費、処方された薬剤の情報等が考えられる。当該サービスによれば、ユーザは、上述のような健康に関するデータを自己で電子登録し、これらのデータを自己で管理することができる。そして、好きなタイミングで、登録した自己の健康に関するデータを閲覧することができる。
【０００３】
特許文献１には、服薬を継続する利用者に対し、服薬における支援を行う薬剤服用支援方法が記載されている。当該方法では、利用者の端末に服用する薬剤と服用日程の登録を促す画面を表示し、これらの情報の登録を受付ける。そして、登録された情報に基づいて服用日程を監視し、服用日程における服用時期より所定の時間前に、利用者に服用時期の予告通知メールを送信する。
【先行技術文献】
【特許文献】
【０００４】
【特許文献１】特開２００５−１０８８１号公報
【発明の概要】
【発明が解決しようとする課題】
【０００５】
自己の健康に関するデータを自身で管理する場合、各ユーザは、登録すべきデータが発生すると、その都度、当該データを登録する必要がある。しかし、このようにデータを繰り返し登録する必要が場合、データ登録を忘れてしまうという不都合が発生する恐れがある。
【０００６】
特許文献１には、上述の技術により、薬の服用を忘れる不都合を防止できると記載されている。しかし、当該技術の場合、ユーザは、予め、服用日程をコンピュータに登録しなければならない。このような事前の登録は手間であり、当該作業を面倒に感じるユーザも存在する。
【０００７】
本発明は、ユーザが自己の健康に関するデータを登録し忘れるという不都合を回避可能な技術を提供することを課題とする。
【課題を解決するための手段】
【０００８】
本発明によれば、各ユーザの健康に関するデータを管理するデータ管理システムであって、各ユーザからデータ登録をデータ種ごとに受付ける登録受付手段と、第１の前記データ種のデータ登録があった場合、その後、新たなデータが登録されると予測される前記データ種である随伴データ種を、前記第１のデータ種に対応付けて登録した対応データを保持する対応データ保持手段と、前記登録受付手段が前記第１のデータ種のデータ登録を受付けると、前記対応データを参照して、前記第１のデータ種に対応付けられている前記随伴データ種を特定し、特定した前記随伴データ種のデータ登録を促す通知情報を出力する情報出力手段と、を有するデータ管理システムが提供される。
【０００９】
また、本発明によれば、各ユーザの健康に関するデータを管理するデータ管理方法であって、各ユーザからデータ登録をデータ種ごとに受付ける登録受付ステップと、前記登録ステップで第１の前記データ種のデータ登録を受付けると、前記第１のデータ種のデータ登録があった場合、その後、新たなデータが登録されると予測される前記データ種である随伴データ種を、前記第１のデータ種に対応付けて登録した対応データを参照して、前記第１のデータ種に対応付けられている前記随伴データ種を特定する随伴データ特定ステップと、特定した前記随伴データ種のデータ登録を促す通知情報を出力する情報出力ステップと、をコンピュータが実行するデータ管理方法が提供される。
【００１０】
また、本発明によれば、各ユーザの健康に関するデータを管理するためのプログラムであって、各ユーザからデータ登録をデータ種ごとに受付ける登録受付手段、第１の前記データ種のデータ登録があった場合、その後、新たなデータが登録されると予測される前記データ種である随伴データ種を、前記第１のデータ種に対応付けて登録した対応データを保持する対応データ保持手段、前記登録受付が前記第１のデータ種のデータ登録を受付けると、前記対応データを参照して、前記第１のデータ種に対応付けられている前記随伴データ種を特定し、特定した前記随伴データ種のデータ登録を促す通知情報を出力する情報出力手段、としてコンピュータを機能させるためのプログラムが提供される。
【発明の効果】
【００１１】
本発明によれば、ユーザが自己の健康に関するデータを登録し忘れるという不都合を回避することが可能となる。
【図面の簡単な説明】
【００１２】
【図１】本実施形態のデータ管理システムの機能ブロック図の一例である。
【図２】本実施形態の対応データの一例を模式的に示した図である。
【図３】本実施形態のデータ管理システムにより実現されるポータル画面の一例である。
【図４】本実施形態のデータ管理方法の処理の流れの一例を示すフローチャートである。
【図５】本実施形態のデータ管理システムの機能ブロック図の一例である。
【発明を実施するための形態】
【００１３】
以下、本発明の実施の形態について図面を用いて説明する。
【００１４】
なお、本実施形態の装置は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００１５】
また、本実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００１６】
＜第１の実施形態＞
まず、本実施形態のデータ管理システムの概要について説明する。
【００１７】
データ管理システムは、各ユーザから、各ユーザの健康に関するデータの登録を受付け、当該データ（電子データ）を記憶し、管理する。健康に関するデータの種類（以下、「データ種」）は、例えば、身長、体重、診察予定日、診察内容（診察費、処方された薬剤の情報等）、診察履歴、自己のプロファイル（持病、過去の病気等）等が考えられる。
【００１８】
また、データ管理システムは、あるデータ種のデータ登録があった場合、その後、新たなデータが登録されると予測されるデータ種を特定するための情報（対応データ）を保持しておく。例えば、診察予定日（データ種）のデータ登録があった場合、登録された診察の後、診察内容（データ種）の新たなデータ登録が行われると考えられる。そこで、対応データには、診察予定日（データ種）のデータ登録があった場合、その後、診察内容（データ種）の新たなデータ登録が行われることを定めた情報が登録されていてもよい。
【００１９】
そして、データ管理システムは、あるデータ種のデータ登録を受付けると、上記対応データを利用して、その後、新たなデータが登録されると予測されるデータ種を特定する。そして、データ管理システムは、ユーザに、特定したデータ種のデータ登録を促す通知情報を出力する。
【００２０】
このようなデータ管理システムによれば、例えば、ユーザは、次回の診察予定日を当該データ管理システムにスケジュール登録すると、診察予定日後の所定のタイミングで、データ管理システムから、当該診察内容のデータ登録を促す通知を受けることができる。
【００２１】
このように、データ監視システムは、各データ種のデータ登録を受付けると、それらを記憶して管理するだけでなく、当該登録を利用して、他のデータ種のデータ登録が正常に行われるよう管理することができる。
【００２２】
以下、このような本実施形態のデータ管理システムの詳細な構成について説明する。図１は、本実施形態のデータ管理システム１の機能ブロック図の一例である。
【００２３】
図１に示すように、本実施形態のデータ管理システム１は、登録受付部１０と、対応データ保持部２０と、情報出力部３０とを有する。
【００２４】
登録受付部１０は、各ユーザからデータ登録をデータ種ごとに受付ける。データ登録を受付ける手段は特段制限されず、キーボード、マウス、タッチパネルディスプレイ、スキャナー、操作ボタン、マイク等のあらゆる入力装置を利用して実現することができる。
【００２５】
登録受付部１０が登録を受付けるデータ種の内容は特段制限されない。データ種としては、例えば、身長、体重、診察予定日、診察内容（診察費、処方された薬剤の情報等）、診察履歴等が考えられる。このようなデータ種のデータ登録は、定期的に行われる場合もあれば、不定期に行われる場合もある。例えば、ユーザが、身長、体重、血圧等を定期的に測定していたり、また、定期的に診察を受けているような場合には、登録すべきデータは定期的に発生する。しかし、ユーザが、身長、体重、血圧等を不定期に測定していたり、また、不定期に診察を受けているような場合には、登録すべきデータは不定期に発生する。
【００２６】
対応データ保持部２０は、対応データを保持する。対応データには、あるデータ種（第１のデータ種）のデータ登録があった場合、その後、新たなデータ登録が行われると予測されるデータ種（随伴データ種）が、第１のデータ種に対応付けて登録されている。なお、対応データには、随伴データ種各々に対応付けて、新たなデータを登録すべき期日を特定するための期日情報が登録されていてもよい。
【００２７】
図２に、対応データの一例を示す。図２に示すデータの場合、「データ種」の欄に各データ種が登録され、「随伴データ種」の欄に、各データ種に対応付けて、随伴データ種が登録されている。そして、「期日」の欄に、各随伴データ種に対応付けて、期日情報が登録されている。図示する対応データの一番上の行のデータは、診察予定日のデータ登録があると、診察予定日の翌日までに、診察内容のデータ登録がなされることを規定している。また、その下の行のデータは、診察内容のデータ登録があると、当該データ登録の日のうちに、次回の診察予定日のデータ登録がなされることを規定している。なお、その下の行のデータに示すように、対応データには、当該対応データを適用するための条件を付すことができる。当該対応データは、糖尿病患者であるユーザから体重の登録があると、当該データ登録の日のうちに、血糖値のデータ登録がなされることを規定している。
【００２８】
なお、対応データは、１つのデータ種に、複数の随伴データ種を対応付けることも可能である。また、随伴データ種として他のデータ種に対応付けて登録されているデータ種に、他の随伴データ種を対応付けることも可能である。さらに、各対応データには、当該対応データを適用するための１つまたは複数の条件を付すことも可能である。また、期日情報で特定される期日は、日単位である必要はなく、秒、分、時間、週、月、年などのあらゆる単位を用いて定めることができる。
【００２９】
情報出力部３０は、登録受付部１０があるデータ種（第１のデータ種）のデータ登録を受付けると、対応データ（図２参照）を参照し、第１のデータ種に対応付けられている随伴データ種を特定する。そして、情報出力部３０は、特定した随伴データ種のデータ登録を促す通知情報を出力する。
【００３０】
例えば、登録受付部１０が「診察予定日」のデータ登録を受付けると、情報出力部３０は、対応データ（図２参照）を参照し、随伴データ種「診察内容」を特定する。そして、情報出力部３０は、所定のタイミングで、診察内容のデータ登録を促す通知情報を出力する。
【００３１】
なお、対応データに当該データを適用するための条件が付されている場合には（図２に示すデータ種「体重」の対応データ）、情報出力部３０は、当該条件を満たすか否かを判定するためのデータを取得し（例えば、各ユーザが登録した複数のデータ種の登録データの中から取得する。）、当該判定を行う。そして、条件を満たす場合に、情報出力部３０は、所定のタイミングで、特定した随伴データ種のデータ登録を促す通知情報を出力する。
【００３２】
情報出力部３０は、ディスプレイ、スピーカ、電子メール、印刷装置、ＦＡＸ、電話等のあらゆる出力手段を利用して、通知情報の出力を実現できる。例えば、データ管理システム１が図３に示すようなポータル画面を出力するように構成している場合、情報出力部３０はポータル画面の「重要なお知らせ」の欄に通知情報を出力してもよい。図３に示すポータル画面においては、「重要なお知らせ」のほか、ユーザがデータ登録した登録データが表示されている。
【００３３】
情報出力部３０が通知情報を出力するタイミングは、随伴データ種に対応付けて対応データに登録されている期日情報（図２の「期日」の欄参照）を利用して、決定することができる。すなわち、情報出力部３０は、第１のデータに対応付けられている随伴データ種を特定すると、当該随伴データ種に対応付けられている期日情報を取得する（図２の「期日」の欄参照）。そして、情報出力部３０は、取得した期日情報を利用して、当該随伴データ種の新たなデータ登録の期日を特定し、特定した当該期日に基づいて、通知情報を出力するタイミングを決定することができる。例えば、情報出力部３０は、特定した期日を経過したタイミングで、通知情報を出力してもよい。その他、情報出力部３０は、特定した期日が満了する時点の所定時間前や、特定した期日が満了した時点から所定時間後など、特定した期日から算出される所定のタイミングで、通知情報を出力してもよい。
【００３４】
ここで、図２の対応データを用いて一例を説明する。例えば、登録受付部１０が「診察予定日」のデータ登録を受付けると、情報出力部３０は、対応データ（図２参照）を参照し、随伴データ種「診察内容」を特定する。次いで、情報出力部３０は、随伴データ種「診察内容」に対応付けられた期日情報「診察日の翌日」を取得する。そして、情報出力部３０は、期日情報「診察日の翌日」を解釈し、期日の特定には、診察予定日のデータ登録の内容が必要であることを認識する。そして、情報出力部３０は、ユーザがデータ登録した登録データの中から、当該データを取得する。その後、情報出力部３０は、取得した診察予定日のデータ登録の内容と、期日情報「診察日の翌日」とに基づいて、期日を特定する。その後、情報出力部３０は、特定した期日に基づいて、通知情報を出力するタイミングを決定すると、現在日時と、特定した期日との大小比較を継続し、所定のタイミングで、通知情報を出力する。
【００３５】
その他、例えば、登録受付部１０が「診察内容」のデータ登録を受付けると、情報出力部３０は、対応データ（図２参照）を参照し、随伴データ種「診察予定日」を特定する。次いで、情報出力部３０は、随伴データ種「診察予定日」に対応付けられた期日情報「診察内容の登録日」を取得する。そして、情報出力部３０は、期日情報「診察日の登録日」を解釈し、期日の特定には、診察内容のデータ登録があった日を特定するデータが必要であることを認識する。そして、情報出力部３０は、登録受付部１０が受付けたデータ登録の履歴を記録しているログ情報（例えば、第２の実施形態に記載のログ情報）から、当該データを取得する。その後、情報出力部３０は、取得したデータに基づいて把握した診察内容のデータ登録があった日と、期日情報「診察日の登録日」とに基づいて、期日を特定する。その後、情報出力部３０は、特定した期日に基づいて、通知情報を出力するタイミングを決定すると、現在日時と、特定した期日との大小比較を継続し、所定のタイミングで、通知情報を出力する。
【００３６】
以上説明した本実施形態のデータ管理システム１は、例えば、以下のプログラムをコンピュータにインストールすることで実現することができる。
【００３７】
各ユーザの健康に関するデータを管理するためのプログラムであって、
各ユーザからデータ登録をデータ種ごとに受付ける登録受付手段、
第１の前記データ種のデータ登録があった場合、その後、新たなデータが登録されると予測される前記データ種である随伴データ種を、前記第１のデータ種に対応付けて登録した対応データを保持する対応データ保持手段、
前記登録受付が前記第１のデータ種のデータ登録を受付けると、前記対応データを参照して、前記第１のデータ種に対応付けられている前記随伴データ種を特定し、特定した前記随伴データ種のデータ登録を促す通知情報を出力する情報出力手段、としてコンピュータを機能させるためのプログラム。
【００３８】
次に、本実施形態のデータ管理方法について説明する。なお、本実施形態のデータ管理方法は、本実施形態のデータ管理システム１を用いて実現することができる。
【００３９】
図４は、本実施形態のデータ管理方法の処理の流れの一例を示すフローチャートである。図示するように、データ管理方法は、登録受付ステップＳ１０と、随伴データ種特定ステップＳ２０と、期日特定ステップＳ３０と、通知情報出力ステップＳ４０とを有する。
【００４０】
登録受付ステップＳ１０では、登録受付部１０が、各ユーザからデータ登録をデータ種ごとに受付ける。
【００４１】
随伴データ種特定ステップＳ２０は、登録受付ステップＳ１０で登録受付部１０があるデータ種（第１のデータ種）のデータ登録を受付けると、実行される。随伴データ種特定ステップＳ２０では、情報出力部３０が、対応データ（図２参照）を参照して、第１のデータ種に対応付けられている随伴データ種を特定する。
【００４２】
期日特定ステップＳ３０は、随伴データ種特定ステップＳ２０で情報出力部３０が随伴データ種を特定すると、実行される。期日特定ステップＳ３０では、情報出力部３０が、対応データ（図２参照）を参照して、Ｓ２０で特定した随伴データ種に対応付けられている期日情報を取得する。そして、情報出力部３０は、取得した期日情報を利用して、Ｓ２０で特定した随伴データ種の新たなデータ登録の期日を特定する。
【００４３】
通知情報出力ステップＳ４０は、期日特定ステップＳ３０の後に実行される。通知情報出力ステップＳ４０では、情報出力部３０が、Ｓ３０で特定した期日に基づいて、通知情報を出力するタイミングを決定する。その後、情報出力部３０は、現在日時と決定したタイミングとを大小比較し、決定したタイミングで、通知情報を出力する。
【００４４】
このような本実施形態のデータ管理システムは、各データ種のデータ登録を受付けると、それらを記憶して管理するだけでなく、当該登録を利用して、他のデータ種のデータ登録のスケジュールを自動で作成し、当該データ登録が忘れず実行されるように、監視することができる。そして、本実施形態のデータ管理システムは、所定のタイミングで、データ登録を促す通知情報を出力することができる。結果、各ユーザが自己の健康に関するデータを登録し忘れるという不都合を回避することが可能となる。
【００４５】
また、本実施形態のデータ管理システムは、各データ種のデータ登録を利用して、他のデータ種のデータ登録のスケジュールを自動で作成するので、ユーザが各データ種の登録スケジュールをコンピュータに登録する必要がない。
【００４６】
仮に、ユーザが各データ種の登録スケジュールを自分でコンピュータに登録するよう構成した場合、このような登録作業が面倒なユーザは当該スケジュールの登録を行わないと考えられる。かかる場合、コンピュータによるデータ登録の監視を実行できず、結果、各ユーザが自己の健康に関するデータを登録し忘れるという不都合が生じ得る。
【００４７】
本実施形態のデータ管理システムによれば、上述のように、コンピュータが自動で登録のスケジュールを作成するので、上述のような不都合が生じることはない。結果、各ユーザが自己の健康に関するデータを登録し忘れるという不都合を回避することが可能となる。
【００４８】
＜第２の実施形態＞
本実施形態は、第１の実施形態の構成に加えて、さらに以下の構成を有する。
【００４９】
本実施形態のデータ管理システムは、ユーザから受付けたデータ登録のログ情報を記憶しておく。そして、当該ログ情報を利用して、あるデータ種（第２のデータ種）のデータ登録があった後、所定の時間内に、所定の確率で新たなデータが登録されているデータ種を特定する。そして、特定したデータ種を、第２のデータ種の随伴データ種として、対応データに記憶する。
【００５０】
このような本実施形態のデータ管理システムによれば、ユーザの行動パターンに基づいて、データ登録の管理スケジュールを決定することができる。結果、各ユーザに適したデータ登録のスケジュール管理を行うことができる。
【００５１】
以下、このような本実施形態のデータ管理システムの詳細な構成について説明する。図５は、本実施形態のデータ管理システム１の機能ブロック図の一例である。
【００５２】
図５に示すように、本実施形態のデータ管理システム１は、登録受付部１０と、対応データ保持部２０と、情報出力部３０と、ログ情報保持部４０と、対応学習部５０とを有する。以下、ログ情報保持部４０、及び、対応学習部５０について説明する。なお、登録受付部１０、対応データ保持部２０、及び、情報出力部３０の構成は第１の実施形態と同様であるので、ここでの説明は省略する。
【００５３】
ログ情報保持部４０は、登録受付部１０が受付けたデータ登録のログ情報を保持する。当該ログ情報には、少なくとも、データ登録されたデータ種、及び、その登録日時を対応付けて記録している。
【００５４】
対応学習部５０は、ログ情報を利用して、あるデータ種（第２のデータ種）のデータ登録後、所定の時間内に、所定の確率で登録されているデータ種を特定する。そして、対応学習部５０は、特定したデータ種を、第２のデータ種の随伴データ種として、対応データ保持部２０が保持する対応データに登録する。
【００５５】
「所定の時間」は設計的事項であり、１分、１時間、１２時間、２４時間、３日、１週間、１カ月、６カ月などであってもよい。なお、当該所定の時間は、データ種ごとに異なってもよい。すなわち、第２のデータ種の随伴データ種は、第２のデータ種のデータ登録後、２４時間以内に所定の確率で新たなデータが登録されているデータ種であり、第３のデータ種の随伴データ種は、第３のデータ種のデータ登録後、１カ月以内に所定の確率で新たなデータが登録されているデータ種であってもよい。「所定の確率」は設計的事項であり、データ種ごとに異なる確率を適用してもよい。
【００５６】
なお、対応学習部５０は、ログ情報を利用して、期日情報を作成し、上記特定した随伴データ種に対応付けて、対応データに登録することができる。例えば、対応学習部５０は、上記「所定の時間」を利用して、期日情報を作成してもよい。具体的には、第２のデータ種の随伴データ種が、第２のデータ種のデータ登録後、２４時間以内に所定の確率で新たなデータが登録されているデータ種である場合、対応学習部５０は、当該随伴データ種の期日情報として、「第２のデータ種のデータ登録の時点から２４時間」を決定してもよい。
【００５７】
このような本実施形態のデータ管理システムによれば、ユーザの行動パターンに基づいて、データ登録の管理スケジュールを決定することができるので、各ユーザに適したデータ登録のスケジュール管理を行うことができる。結果、各ユーザが自己の健康に関するデータを登録し忘れるという不都合を回避することが可能となる。
【符号の説明】
【００５８】
１    データ管理システム
１０  登録受付部
２０  対応データ保持部
３０  情報出力部
４０  ログ情報保持部
５０  対応学習部
【図１】
2013016033.tif 000003
【図２】
2013016033.tif 000004
【図４】
2013016033.tif 000005
【図５】
2013016033.tif 000006
【図３】
2013016033.tif 000007